(57)【特許請求の範囲】
【請求項１】
粗目用バースクリーンの広い目幅のスクリーンバーの間に細塵用バースクリーンの複数枚のスクリーンバーを配設するとともに、粗目用バースクリーンの前端面を細塵用バースクリーンの前端面より前方位置に突出するようにしたバースクリーンと、粗目用バースクリーン及び細塵用バースクリーンの目幅に噛合する粗目用レーキ及び細塵用レーキを有し、バースクリーンのごみを掻き揚げて排出するレーキとを備えたバースクリーン式自動除塵機において、地上部で粗目用バースクリーンを細塵用バースクリーンより所要長く延設し、細塵用バースクリーンの終端部から、延設した粗目用バースクリーンの途中までエプロンを設けるとともに、該エプロンの終端部の下に細塵を回収する細塵回収部を設け、粗目用バースクリーンの終端部の下に粗ごみを回収する粗ごみ回収部を設けたことを特徴とするバースクリーン式自動除塵機。
【請求項２】
細塵回収部に、粗目用バースクリーンの上から散水する脱荷用水ノズルを設けたことを特徴とする請求項１記載のバースクリーン式自動除塵機。
【発明の詳細な説明】
【技術分野】
【０００１】
本発明は、粗目・細塵兼用のバースクリーン式自動除塵機に関し、特に、細塵目幅で捕捉されたごみと粗目目幅で捕捉されたごみとを分別して排出することができるバースクリーン式自動除塵機に関するものである。
【背景技術】
【０００２】
従来、下水処理場や下水ポンプ場では、沈砂池の上流側に粗目用バースクリーン、後段に細塵用バースクリーンを設置し、それぞれのスクリーンが捕捉するごみは、大きさや性状が異なるため、それぞれ別の系統で処理していた。
【０００３】
すなわち、粗目用バースクリーンで捕捉したごみは、量が少なく大きさも大きいため、一般的に洗浄などの工程を行わずに貯留ホッパへ投入していた。
【０００４】
また、細塵用バースクリーンが捕捉するごみは、減容化と取り扱いを衛生的に行うために、洗浄工程などの後に貯留ホッパへ投入していた。
【０００５】
具体的には、粗ごみは、粗目用バースクリーンからベルトコンベアにより貯留ホッパに搬送されるが、細塵は、細塵用バースクリーンから流水トラフ（ベルトコンベア）により洗浄機に運ばれて処理された後、さらに、分離機と脱水機でそれぞれ処理されてから貯留ホッパに搬送される。
【０００６】
したがって、既存の洗浄機や分離機、脱水機などは、粗ごみがないことを前提にして設計されていることが多い。
【０００７】
しかし、最近では、粗目用バースクリーンと細塵用バースクリーンを一体に形成し、これら兼用バースクリーンで捕捉したごみを１つのレーキで掻き揚げるようにした粗目・細塵兼用バースクリーン式自動除塵機も本件出願人により提案されている（下記特許文献１参照）。
【０００８】
このようなバースクリーン式自動除塵機を用いて流入水中のごみを捕捉すると、粗目用と細塵用のそれぞれの目幅で捕捉された粗ごみと細塵とが排出口で再び混在することになり、後段の洗浄機や分離機、脱水機では、粗ごみによりその処理が阻害されることがあった。
【特許文献１】特許第３７６８５１８号公報
【発明の開示】
【発明が解決しようとする課題】
【０００９】
本発明は、上記従来の粗目・細塵兼用バースクリーン式自動除塵機が有する問題点に鑑み、細塵目幅で捕捉されたごみと粗目目幅で捕捉されたごみとを分別して排出することができるバースクリーン式自動除塵機を提供することを目的とする。
【課題を解決するための手段】
【００１０】
上記目的を達成するため、本発明のバースクリーン式自動除塵機は、粗目用バースクリーンの広い目幅のスクリーンバーの間に細塵用バースクリーンの複数枚のスクリーンバーを配設するとともに、粗目用バースクリーンの前端面を細塵用バースクリーンの前端面より前方位置に突出するようにしたバースクリーンと、粗目用バースクリーン及び細塵用バースクリーンの目幅に噛合する粗目用レーキ及び細塵用レーキを有し、バースクリーンのごみを掻き揚げて排出するレーキとを備えたバースクリーン式自動除塵機において、地上部で粗目用バースクリーンを細塵用バースクリーンより所要長く延設し、細塵用バースクリーンの終端部から、延設した粗目用バースクリーンの途中までエプロンを設けるとともに、該エプロンの終端部の下に細塵を回収する細塵回収部を設け、粗目用バースクリーンの終端部の下に粗ごみを回収する粗ごみ回収部を設けたことを特徴とする。
【００１１】
この場合において、細塵回収部に、粗目用バースクリーンの上から散水する脱荷用水ノズルを設けることができる。
【発明の効果】
【００１２】
本発明のバースクリーン式自動除塵機によれば、粗目用バースクリーンの広い目幅のスクリーンバーの間に細塵用バースクリーンの複数枚のスクリーンバーを配設するとともに、粗目用バースクリーンの前端面を細塵用バースクリーンの前端面より前方位置に突出するようにしたバースクリーンと、粗目用バースクリーン及び細塵用バースクリーンの目幅に噛合する粗目用レーキ及び細塵用レーキを有し、バースクリーンのごみを掻き揚げて排出するレーキとを備えたバースクリーン式自動除塵機において、地上部で粗目用バースクリーンを細塵用バースクリーンより所要長く延設し、細塵用バースクリーンの終端部から、延設した粗目用バースクリーンの途中までエプロンを設けるとともに、該エプロンの終端部の下に細塵を回収する細塵回収部を設け、粗目用バースクリーンの終端部の下に粗ごみを回収する粗ごみ回収部を設けることから、レーキで掻き揚げた細塵をエプロンの終端部で粗目用バースクリーンの間から落下させて細塵回収部で回収するとともに、粗ごみはそのまま粗目用バースクリーン上を掻き揚げ、該粗目用バースクリーンの終端部で落下させて粗ごみ回収部で回収することができる。
【００１３】
この場合、細塵回収部に、粗目用バースクリーンの上から散水する脱荷用水ノズルを設けることにより、細塵の落下を促すことができる。
【発明を実施するための最良の形態】
【００１４】
以下、本発明のバースクリーン式自動除塵機の実施の形態を、図面に基づいて説明する。
【実施例１】
【００１５】
図１〜図３に、本発明のバースクリーン式自動除塵機の一実施例を示す。
【００１６】
このバースクリーン式自動除塵機は、粗目用バースクリーン１の広い目幅のスクリーンバーの間に細塵用バースクリーン２の複数枚のスクリーンバーを配設するとともに、粗目用バースクリーン１の前端面を細塵用バースクリーン２の前端面より前方位置に突出するようにしたバースクリーンと、粗目用バースクリーン１及び細塵用バースクリーン２の目幅に噛合する粗目用レーキ３１及び細塵用レーキ３２を有し、バースクリーンのごみを掻き揚げて排出するレーキ３とを備えている。
【００１７】
そして、このバースクリーン式自動除塵機は、地上部で粗目用バースクリーン１を細塵用バースクリーン２より所要長く延設し、細塵用バースクリーン２の終端部から、延設した粗目用バースクリーン１の途中までエプロン４を設けるとともに、該エプロン４の終端部の下に細塵Ｓ１を回収する細塵回収部５を設け、粗目用バースクリーン１の終端部の下に粗ごみＳ２を回収する粗ごみ回収部６を設けている。
【００１８】
レーキ３は、上下の本体スプロケット７１に架設されたチェーン７２により駆動し、粗目・細塵兼用バースクリーンの周囲を周回するとともに、粗目・細塵兼用バースクリーンの前側でごみを掻き揚げる。
【００１９】
レーキ３は、粗目・細塵兼用バースクリーンの目幅に噛合する粗目用レーキ３１及び細塵用レーキ３２を有し、また、その背部には、水路の底部に立設された前スクリーン８の目幅に噛合する前スクリーン用レーキ３３が設けられている。
【００２０】
粗目用バースクリーン１は、細塵用バースクリーン２より幅広の帯状平鋼からなり、例えば１０センチ間隔で配設した粗目用バースクリーン１の間に４〜５本の細塵用バースクリーン２を配設するとともに、粗目用バースクリーン１の前端面を細塵用バースクリーン２の前端面より前方位置に突出させることにより、粗目・細塵兼用バースクリーンを形成している。
【００２１】
この粗目・細塵兼用バースクリーンは、水路の底部に立設された前スクリーン８とともに水路内に設置されている。
【００２２】
そして、水路から上の地上部では、粗目用バースクリーン１だけを所要長く延設し、細塵用バースクリーン２の終端部からは、延設した粗目用バースクリーン１の中間付近までエプロン４を敷設し、細塵Ｓ１の落下を防止している。
【００２３】
これにより、細塵目幅で捕捉された細塵Ｓ１は、レーキ３によりエプロン４に沿って掻き揚げられる。
【００２４】
一方、エプロン４の終端部の下には、細塵Ｓ１を回収する細塵回収部５が設けられるとともに、粗目用バースクリーン１の終端部の下には、粗ごみＳ２を回収する粗ごみ回収部６が設けられている。
【００２５】
細塵回収部５には、粗目用バースクリーン１の上から散水する脱荷用水ノズル９が付設されており、レーキ３からの細塵Ｓ１の落下を促すようにしている。
【００２６】
なお、レーキ３から落下した細塵Ｓ１は、本実施例では、流水トラフにより回収され搬送される。
【００２７】
また、粗目用バースクリーン１の終端部から落下した粗ごみＳ２は、その下に設けたベルトコンベアにより回収され搬送される。
【００２８】
次に、本実施例のバースクリーン式自動除塵機の動作を説明する。
【００２９】
このバースクリーン式自動除塵機は、水路部は、粗目用バースクリーン１と細塵用バースクリーン２からなる粗目・細塵兼用バースクリーンを有している。
【００３０】
一方、地上部では、まず、細塵用バースクリーン２をなくしてエプロン４を設けており、これにより、細塵目幅で捕捉された細塵Ｓ１は、レーキ３によりエプロン４に沿って掻き揚げられる。
【００３１】
さらに、レーキ３により掻き揚げると、途中でエプロン４もなくなるため、掻き揚げられた細塵Ｓ１は自重で落下し、流水トラフ等の細塵回収部５に排出される。
【００３２】
ここで、脱荷用水ノズル９を設け、ノズル水によりごみの落下を促すようにすることもできる。
【００３３】
その後、さらにレーキ３により掻き揚げると、粗目用バースクリーン１もなくなり、粗目目幅で捕捉された粗ごみＳ２が自重で落下し、ベルトコンベア等の粗ごみ回収部６に排出される。
【００３４】
このように、本実施例のバースクリーン式自動除塵機は、それぞれの目幅で捕捉したごみを分けて、排出することができる。
【００３５】
以上、本発明のバースクリーン式自動除塵機について、その実施例に基づいて説明したが、本発明は上記実施例に記載した構成に限定されるものではなく、その趣旨を逸脱しない範囲において適宜その構成を変更することができる。
【産業上の利用可能性】
【００３６】
本発明のバースクリーン式自動除塵機は、細塵目幅で捕捉されたごみと粗目目幅で捕捉されたごみとを分別して排出するという特性を有していることから、粗目・細塵兼用バースクリーン式自動除塵機の用途に広く好適に用いることができる。
【図面の簡単な説明】
【００３７】
【図１】本発明のバースクリーン式自動除塵機の一実施例を示す断面図である。
【図２】図１の部分断面を示し、（ａ）はＡ断面図、（ｂ）はＢ断面図、（ｃ）はＣ断面図、（ｄ）はＤ断面図、（ｅ）はＥ断面図である。
【図３】同バースクリーン式自動除塵機のスクリーン部を示す斜視図である。
【符号の説明】
【００３８】
１    粗目用バースクリーン
２    細塵用バースクリーン
３    レーキ
３１  粗目用レーキ
３２  細塵用レーキ
３３  前スクリーン用レーキ
４    エプロン
５    細塵回収部
６    粗ごみ回収部
７１  本体スプロケット
７２  チェーン
８    前スクリーン
９    脱荷用水ノズル
Ｓ１  細塵
Ｓ２  粗ごみ
【図１】
0004846687.tif 000002
【図２】
0004846687.tif 000003
【図３】
0004846687.tif 000004